(57)【要約】【課題】カードに記録されている磁気データの不正な読み取りに対するセキュリティを確保し、且つ利用者に与える違和感を抑えることによって操作性を改善したカード処理装置を提供する。【解決手段】カード搬送制御部４がカード搬送路において挿入口に最も近い一対の搬送ローラ１４にカード１０が挟持されるまで、この搬送ローラ１４をカード１０を本体内部に取り込む方向に回転させているので、利用者がカード１０を挿入したときには、このカード１０の先端が停止している搬送ローラ１４に当たって、カード１０が支えたような違和感を利用者に与えることがない。また、カード搬送制御部４が、搬送ローラ１４にカード１０が挟持されると、カード１０を間欠的に搬送しながら本体に取り込むので、挿入口１１の前面に、不正カード読取機が取り付けられていても、カードデータが不正に読み取られることがない。【選択図】図２
2004171205.tif 000002
【特許請求の範囲】
【請求項１】
カードを挟持して搬送する一対の搬送ローラをカードの搬送方向に複数並べたカード搬送路と、
上記搬送ローラの回転を制御して、上記カード搬送路におけるカードの搬送を制御するカード搬送制御手段と、
上記カード搬送路を搬送されているカードに記録されているカードデータを読み取るカードデータ読取手段と、を備え、
上記カード搬送制御手段は、挿入口からカード搬送路に挿入されたカードが、挿入口に最も近い一対の搬送ローラに挟持されるまで、カードを本体内部に向けて搬送する方向である正方向に搬送ローラを回転させ、
カードが挿入口に最も近い一対の搬送ローラに挟持された後、搬送ローラの正方向への回転、停止を繰り返して、カードの所定長さを本体に取り込み、
カードの所定長さを本体に取り込んだ後、搬送ローラを正方向に回転させて本体内部の貯留部までカードを搬送するカード処理装置。
【請求項２】
カードを挟持して搬送する一対の搬送ローラをカードの搬送方向に複数並べたカード搬送路と、
上記搬送ローラの回転を制御して、上記カード搬送路におけるカードの搬送を制御するカード搬送制御手段と、
上記カード搬送路を搬送されているカードに記録されているカードデータを読み取るカードデータ読取手段と、を備え、
上記カード搬送制御手段は、挿入口からカード搬送路に挿入されたカードが、挿入口に最も近い一対の搬送ローラに挟持されるまで、カードを本体内部に向けて搬送する方向である正方向に搬送ローラを回転させ、
カードが挿入口に最も近い一対の搬送ローラに挟持された後、搬送ローラの正方向への回転、逆方向への回転を繰り返して、カードの所定長さを本体に取り込み、
カードの所定長さを本体に取り込んだ後、搬送ローラを正方向に回転させて本体内部の貯留部までカードを搬送するカード処理装置。
【請求項３】
カードを挟持して搬送する一対の搬送ローラをカードの搬送方向に複数並べたカード搬送路と、
上記搬送ローラの回転を制御して、上記カード搬送路におけるカードの搬送を制御するカード搬送制御手段と、
上記カード搬送路を搬送されているカードに記録されているカードデータを読み取るカードデータ読取手段と、を備え、
上記カード搬送制御手段は、挿入口からカード搬送路に挿入されたカードが、挿入口に最も近い一対の搬送ローラに挟持されるまで、カードを本体内部に向けて搬送する方向である正方向に搬送ローラを回転させ、
カードが挿入口に最も近い一対の搬送ローラに挟持された後、搬送ローラの回転速度を変更しながら、カードの所定長さを本体に取り込み、
カードの所定長さを本体に取り込んだ後、搬送ローラを正方向に回転させて本体内部の貯留部までカードを搬送するカード処理装置。
【請求項４】
挿入口に最も近い一対の搬送ローラに対して挿入口側に設けたカードを検出する第１の検出センサを備え、
上記カード搬送制御手段は、上記第１の検出センサがカードを検出すると、搬送ローラの正方向への回転を開始する請求項１〜３のいずれかに記載のカード処理装置。
【請求項５】
挿入口に最も近い一対の搬送ローラに対して挿入口と反対側の隣に設けたカードを検出する第２の検出センサを備え、
上記カード搬送制御手段は、第２の検出センサがカードを検出したときに、前記一対の搬送ローラにカードが挟持されたと判断する請求項１〜４のいずれかに記載のカード処理装置。
【請求項６】
挿入口に最も近い一対の搬送ローラに対して挿入口側に設けたカードを検出する第１の検出センサと、
挿入口に最も近い一対の搬送ローラに対して挿入口と反対側の隣に設けたカードを検出する第２の検出センサと、を備え、
上記カード搬送制御手段は、上記第１のセンサがカードを検出すると、搬送ローラの正方向への回転を開始し、第２の検出センサがカードを検出したときに、挿入口に最も近い一対の搬送ローラにカードが挟持されたと判断し、さらに上記第１の検出センサがカードを検出しておらず、上記第２の検出センサがカードを検出しているときに、カードを本体に所定長さ取り込んだと判断する請求項１〜３のいずれかに記載のカード処理装置。
【請求項７】
カードを挟持して搬送する一対の搬送ローラをカードの搬送方向に複数並べたカード搬送路と、
上記搬送ローラの回転を制御して、上記カード搬送路におけるカードの搬送を制御するカード搬送制御手段と、
上記カード搬送路を搬送されているカードに記録されているカードデータを読み取るカードデータ読取手段と、を備え、
上記カード搬送制御手段は、カードの排出時に挿入口に最も近い一対の搬送ローラにカードが挟持されているときに、カードを排出する方向への搬送ローラの回転、停止を繰り返して、カードを本体から所定長さ排出するカード処理装置。
【請求項８】
カードを挟持して搬送する一対の搬送ローラをカードの搬送方向に複数並べたカード搬送路と、
上記搬送ローラの回転を制御して、上記カード搬送路におけるカードの搬送を制御するカード搬送制御手段と、
上記カード搬送路を搬送されているカードに記録されているカードデータを読み取るカードデータ読取手段と、を備え、
上記カード搬送制御手段は、カードの排出時に挿入口に最も近い一対の搬送ローラにカードが挟持されているときに、カードを排出する方向への搬送ローラの回転、カードを本体に取り込む方向への搬送ローラの回転、を繰り返して、カードを本体から所定長さ排出するカード処理装置。
【請求項９】
上記カード搬送制御手段は、カードの排出時にカードを本体から所定長さ排出すると、搬送ローラをカードを排出する方向に回転させる請求項７または８に記載のカード処理装置。
【発明の詳細な説明】
【０００１】
【発明の属する技術分野】
この発明は、挿入口から本体に挿入されたカードに記録されているカードデータを読み取るカード処理装置に関し、特に本体に挿入されたカードに記録されているカードデータが不正に読み取られるのを防止する不正読取防止機能を有するカード処理装置に関する。
【０００２】
【従来の技術】
従来、銀行に設置されているＡＴＭやＣＤ等、種々の装置に、カードに記録されている磁気データ（カードデータ）を読み取るカード処理装置が適用されている。カード処理装置は、周知のように、挿入口から本体に挿入されたカードを搬送しながら、このカードの磁気記録面（磁気ストライプ）に磁気ヘッドを当接させて、記録されている磁気データを読み取る。
【０００３】
ところで、利用者がカード処理装置に挿入したカードの磁気データが、以下に示す方法で不正に読み取られることがあり、この磁気データの不正な読み取りに対する対策が要望されている。
【０００４】
［磁気データの不正読取方法］
カード処理装置におけるカード挿入口の前面に、磁気ヘッドとメモリとを有する不正カード読取機を取り付ける。この不正カード読取機は、前面にカード挿入口が形成されており、前面から挿入されたカードが本体内部を通過して、背面から排出される構成である。不正カード読取機は、本体を通過するカードに記録されている磁気データを磁気ヘッドで読み取り、これをメモリに記憶する。
【０００５】
カード処理装置の前面に上記不正カード読取機が取り付けられていることを知らずに、利用者が不正カード読取機のカード挿入口からカードを挿入すると、挿入されたカードは、この不正カード読取機を通過して、カード処理装置のカード挿入口から本体内部に取り込まれる。このとき、利用者のカードに記録されている磁気データが、不正カード読取機によって不正に読み取られる。
【０００６】
一方、カード処理装置は、不正カード読取機で磁気データが不正に読み取られたカードであるかどうかにかかわらず、（本体前面に不正に取り付けられた不正カード読取機を通過してきたカードであっても）、本体の挿入口から取り込んだカードを搬送しながら、このカードに記録されている磁気データを読み取り、ここで読み取った磁気データを用いて取引等を処理する。その後、カード処理装置は本体に取り込んだカードを排出する。本体前面に不正カード読取機が取り付けられている場合、カードはこの不正カード読取機を通過し、利用者に返却される。
【０００７】
なお、不正カード読取機は、カード処理装置からのカードの排出時に、このカードに記録されている磁気データを不正に読み取ることもできる。
【０００８】
したがって、利用者はカードを使用した取引等が正常に処理されるので、自分のカードから磁気データが不正に読み取られたことに気づかない。
【０００９】
不正カード読取機を取り付けた者は、この不正カード読取機をカード処理装置から取り外し、メモリに記憶されているカードデータを用いてカードを偽造する。
【００１０】
従来、上述の磁気データの不正読取に対する対策として、本体へのカードの取り込み時や、排出時に、カードの一部が本体外部に露出しているとき、カードを間欠搬送する技術（例えば、非特許文献１）や、さらにセキュリティを高めるためにランダムに間欠搬送する技術（例えば、特許文献１）が提案されている。
【００１１】
【非特許文献１】
Ｓｖｉｇａｌｓ  Ｊ：”Ｕｎａｕｔｈｏｒｉｚｅｄ  Ｃａｒｄ  Ｓｔｒｉｐｅ  Ｒｅａｄｉｎｇ  Ｉｎｈｉｂｉｔｏｒ”，
ＩＢＭ  ＴＥＣＨＮＩＣＡＬ  ＤＩＳＣＬＯＳＵＲＥ  ＢＵＬＬＥＴＩＮ，
ｖｏｌ２６，Ｎｏ６，Ｎｏｖ．１，１９８３（１９８３−１１−１），ｐａｇｅ２７０７  ＸＰ００２１４５３００，Ｎｅｗ  Ｙｏｒｋ
【特許文献１】
米国特許第６４６０７７１Ｂ１号明細書
【００１２】
【発明が解決しようとする課題】
しかしながら、従来のカード処理装置は、利用者がカードを挿入するとき、カードを挟持して搬送する搬送ローラを間欠的に回転させていた（回転、停止を繰り返していた。）。このため、搬送ローラが停止しているときに、利用者がカードを挿入することがあった。
【００１３】
通常、搬送ローラはカードを確実に搬送するために、摩擦力の高い材質で構成されている。このため、カードを挿入したときに、搬送ローラが停止していると、カードの先端が停止している搬送ローラに当たり、利用者のカード挿入動作を一時的に停止させる。このとき、カードの挿入路に異物が入っていて、カードが支えたような違和感を利用者に与える。
【００１４】
また、搬送ローラの回転が開始されると、挿入していたカードが搬送ローラに挟持されて本体に取り込まれるので、これまでの支えた感じから一転してカードの挿入がスムーズになり、利用者にさらに違和感を与える。
【００１５】
このように、従来のカード処理装置は、カードに記録されている磁気データの不正な読み取りに対するセキュリティを向上させるための対策しか施されておらず、利用者に与える違和感を抑えることについては何ら考慮されておらず、操作性が良くないという問題があった。
【００１６】
この発明の目的は、カードに記録されている磁気データの不正な読み取りに対するセキュリティを確保し、且つ利用者に与える違和感を抑えることによって操作性を改善したカード処理装置を提供することにある。
【００１７】
【課題を解決するための手段】
この発明のカード処理装置は、上記課題を解決するために以下の構成を備えている。
【００１８】
（１）カードを挟持して搬送する一対の搬送ローラをカードの搬送方向に複数並べたカード搬送路と、
上記搬送ローラの回転を制御して、上記カード搬送路におけるカードの搬送を制御するカード搬送制御手段と、
上記カード搬送路を搬送されているカードに記録されているカードデータを読み取るカードデータ読取手段と、を備え、
上記カード搬送制御手段は、挿入口からカード搬送路に挿入されたカードが、挿入口に最も近い一対の搬送ローラに挟持されるまで、カードを本体内部に向けて搬送する方向である正方向に搬送ローラを回転させ、
カードが挿入口に最も近い一対の搬送ローラに挟持された後、搬送ローラの正方向への回転、停止を繰り返して、カードの所定長さを本体に取り込み、
カードの所定長さを本体に取り込んだ後、搬送ローラを正方向に回転させて本体内部の貯留部までカードを搬送する。
【００１９】
この構成では、カード搬送制御手段がカード搬送路において挿入口に最も近い一対の搬送ローラにカードが挟持されるまで、この搬送ローラをカードを本体内部に取り込む方向（正方向）に回転させるので、利用者がカードを挿入したときには、このカードの先端が停止している搬送ローラに当たって、カードが支えたような違和感を利用者に与えることがない。
【００２０】
また、カード搬送制御手段が、カード搬送路において挿入口に最も近い一対の搬送ローラにカードが挟持されると、この搬送ローラの回転、停止を繰り返してカードを間欠的に搬送するので、カード処理装置の挿入口の前面に、不正カード読取機が取り付けられていても、この不正カード読取機にカードデータが不正に読み取られることがなく、カードに記録されている磁気データの不正な読み取りに対するセキュリティを確保できる。
【００２１】
その後、カード搬送制御手段は、カードを所定長さ本体に取り込むと、例えばカードの一部が外部に露出していない状態までカードを取り込むと、搬送ローラを正方向に回転させて本体内部の貯留部までカードを略定速で搬送する。この定速搬送時にカードに記録されているカードデータを読み取ることで、カードデータの読取エラーの発生も抑えられる。
【００２２】
したがって、カードに記録されている磁気データの不正な読み取りに対するセキュリティを確保し、且つ利用者に与える違和感を抑えて操作性の改善を図ることができる。
【００２３】
（２）カードを挟持して搬送する一対の搬送ローラをカードの搬送方向に複数並べたカード搬送路と、
上記搬送ローラの回転を制御して、上記カード搬送路におけるカードの搬送を制御するカード搬送制御手段と、
上記カード搬送路を搬送されているカードに記録されているカードデータを読み取るカードデータ読取手段と、を備え、
上記カード搬送制御手段は、挿入口からカード搬送路に挿入されたカードが、挿入口に最も近い一対の搬送ローラに挟持されるまで、カードを本体内部に向けて搬送する方向である正方向に搬送ローラを回転させ、
カードが挿入口に最も近い一対の搬送ローラに挟持された後、搬送ローラの正方向への回転、逆方向への回転を繰り返して、カードの所定長さを本体に取り込み、
カードの所定長さを本体に取り込んだ後、搬送ローラを正方向に回転させて本体内部の貯留部までカードを搬送する。
【００２４】
この構成は、上記（１）と略同じであるが、カード搬送制御手段が、カード搬送路において挿入口に最も近い一対の搬送ローラにカードが挟持されると、この搬送ローラの正回転、逆回転を繰り返して、カードを本体内部に取り込む方向、カードを本体外部に排出する方向、に搬送を繰り返して、カードを所定長さ本体に取り込む。例えば、カードの一部が外部に露出していない状態までカードを取り込む。このように、カードの一部が本体外部に露出しているとき、本体内部に取り込む方向、本体外部に排出する方向、にカードを繰り返し搬送するので、カード処理装置の挿入口の前面に、取り付けられた不正カード読取機によるカードデータの不正な読み取りに対するセキュリティを一層向上させることができる。
【００２５】
（３）カードを挟持して搬送する一対の搬送ローラをカードの搬送方向に複数並べたカード搬送路と、
上記搬送ローラの回転を制御して、上記カード搬送路におけるカードの搬送を制御するカード搬送制御手段と、
上記カード搬送路を搬送されているカードに記録されているカードデータを読み取るカードデータ読取手段と、を備え、
上記カード搬送制御手段は、挿入口からカード搬送路に挿入されたカードが、挿入口に最も近い一対の搬送ローラに挟持されるまで、カードを本体内部に向けて搬送する方向である正方向に搬送ローラを回転させ、
カードが挿入口に最も近い一対の搬送ローラに挟持された後、搬送ローラの回転速度を変更しながら、カードの所定長さを本体に取り込み、
カードの所定長さを本体に取り込んだ後、搬送ローラを正方向に回転させて本体内部の貯留部までカードを搬送する。
【００２６】
この構成は、上記（１）と略同じであるが、カード搬送制御手段が、カード搬送路において挿入口に最も近い一対の搬送ローラにカードが挟持されると、この搬送ローラの回転速度を変更しながら、カードを所定長さ本体に取り込む。具体的には、カードの搬送速度が変更しながら、カードを所定長さ本体に取り込む。磁気ヘッドでカードに記録されている磁気データを読み取る場合、カードの搬送速度を低くすると、磁気ヘッドにおいて発生する起電力が小さくなるので、カードの搬送を完全に停止しなくても、カードの搬送速度をある程度低くすれば、カードに記録されている磁気データの読み取りができなくなる。したがって、カード処理装置の挿入口の前面に、取り付けられた不正カード読取機によるカードデータの不正な読み取りに対するセキュリティを向上させることができる。
【００２７】
（４）挿入口に最も近い一対の搬送ローラに対して挿入口側に設けたカードを検出する第１の検出センサを備え、
上記カード搬送制御手段は、上記第１の検出センサがカードを検出すると、搬送ローラの正方向への回転を開始する。
【００２８】
この構成では、挿入口に最も近い一対の搬送ローラに対して挿入口側に設けた第１の検出センサによりカードが検出されたときに、搬送ローラを正方向に回転させるようにしたので、利用者がいないときに搬送ローラを無駄に回転させ続けることがない。
【００２９】
（５）挿入口に最も近い一対の搬送ローラに対して挿入口と反対側の隣に設けたカードを検出する第２の検出センサを備え、
上記カード搬送制御手段は、第２の検出センサがカードを検出したときに、前記一対の搬送ローラにカードが挟持されたと判断する。
【００３０】
この構成では、挿入口に最も近い一対の搬送ローラに対して挿入口と反対側の隣に設けた第２のセンサによりカードが検出されたときに、最も挿入口側に配置された一対の搬送ローラにカードが挟持されたと判断する。
【００３１】
（６）挿入口に最も近い一対の搬送ローラに対して挿入口側に設けたカードを検出する第１の検出センサと、
挿入口に最も近い一対の搬送ローラに対して挿入口と反対側の隣に設けたカードを検出する第２の検出センサと、を備え、
上記カード搬送制御手段は、上記第１のセンサがカードを検出すると、搬送ローラの正方向への回転を開始し、第２の検出センサがカードを検出したときに、挿入口に最も近い一対の搬送ローラにカードが挟持されたと判断し、さらに上記第１の検出センサがカードを検出しておらず、上記第２の検出センサがカードを検出しているときに、カードを本体に所定長さ取り込んだと判断する。
【００３２】
この構成は、上記（３）と（４）の構成に加えて、第１の検出センサがカードを検出しておらず、上記第２の検出センサがカードを検出しているときに、カードを本体に所定長さ取り込んだと判断するように構成した。
【００３３】
（７）カードを挟持して搬送する一対の搬送ローラをカードの搬送方向に複数並べたカード搬送路と、
上記搬送ローラの回転を制御して、上記カード搬送路におけるカードの搬送を制御するカード搬送制御手段と、
上記カード搬送路を搬送されているカードに記録されているカードデータを読み取るカードデータ読取手段と、を備え、
上記カード搬送制御手段は、カードの排出時に挿入口に最も近い一対の搬送ローラにカードが挟持されているときに、カードを排出する方向への搬送ローラの回転、停止を繰り返して、カードを本体から所定長さ排出する。
【００３４】
この構成では、カードの排出時に、上記（１）の動作の逆を行うことによって、不正カード読取機にカードデータが不正に読み取られるのを防止できる。
【００３５】
（８）カードを挟持して搬送する一対の搬送ローラをカードの搬送方向に複数並べたカード搬送路と、
上記搬送ローラの回転を制御して、上記カード搬送路におけるカードの搬送を制御するカード搬送制御手段と、
上記カード搬送路を搬送されているカードに記録されているカードデータを読み取るカードデータ読取手段と、を備え、
上記カード搬送制御手段は、カードの排出時に挿入口に最も近い一対の搬送ローラにカードが挟持されているときに、カードを排出する方向への搬送ローラの回転、カードを本体に取り込む方向への搬送ローラの回転、を繰り返して、カードを本体から所定長さ排出する。
【００３６】
この構成では、カードの排出時に、上記（２）の動作の逆を行うことによって、不正カード読取機にカードデータが不正に読み取られるのを防止できる。
【００３７】
（９）上記カード搬送制御手段は、カードの排出時にカードを本体から所定長さ排出すると、搬送ローラをカードを排出する方向に回転させる。
【００３８】
これにより、利用者に対して違和感を与えることなく、カードを返却することができる。
【００３９】
【発明の実施の形態】
以下、この発明の実施形態であるカード処理装置について説明する。
【００４０】
図１は、この発明の実施形態であるカード処理装置の構成を示すブロック図である。この実施形態カード処理装置１は、本体の動作を制御する制御部２と、本体に挿入されたカードに記録されているカードデータを読み取るカードデータ読取部３と、本体に挿入されたカードの搬送を制御するカード搬送制御部４と、搬送路におけるカードの有無を検出するカード検出部５と、挿入口に設けられたシャッタの開閉を制御するシャッタ制御部６と、本体に挿入されたカードから読み取ったカードデータを出力する出力部７とを備えている。
【００４１】
図２は、この発明の実施形態であるカード処理装置の内部構成を示す概略図である。この実施形態のカード処理装置１は、ＡＴＭやＣＤ等の装置に内蔵される。図２において、１０はカードであり、１１がカード１０を挿入する挿入口である。挿入口１１は、このカード処理装置１が適用された装置の前面に位置する。１２は、挿入口１１においてカード１０が挿入されたことを検出するセンサ（この発明で言う第１のセンサに相当）である。センサ１２は、押圧センサであり、挿入されたカード１０によって押圧される位置に配置されている。１３はシャッタであり、シャッタ制御部６により挿入口１１の開閉状態が制御される。
【００４２】
１４〜１７は、カードを挟持して搬送する一対の搬送ローラであり、カード１０の搬送方向に並べられている。搬送ローラ１４が、この発明で言う挿入口に最も近い一対の搬送ローラである。一対の搬送ローラ１４〜１７は、それぞれ一方がモータの回転力が伝達される駆動ローラであり、他方がこの駆動ローラに従動して回転する従動ローラである。搬送ローラ１４〜１７を駆動するモータは、１つである。カード搬送制御部４は、このモータの回転（回転方向、回転速度を含む）、停止を制御する。２１〜２４は、搬送路におけるカードの有無を検出するセンサである。センサ２１〜２４は、発光部と受光部とからなる光センサであり、搬送路を挟んで発光部と受光部とを対向させて配置している。センサ２１が、この発明で言う第２のセンサに相当する。センサ２１は、挿入口１１に最も近い搬送ローラ１４にカード１０が挟持されたことを検出するための構成である。センサ２４は、本体に挿入されたカード１０が貯留部に達したことを検出するためのセンサである。カード検出部５は、センサ１２、および２１〜２４の検出結果により、本体にカード１０が挿入されているかどうか、および搬送路におけるカード１０の位置を検出する。１８は、本体に挿入されたカード１０に記録されている磁気データを読み取る磁気ヘッドである。磁気ヘッド１８は、カードデータ読取部３に接続されている。
【００４３】
挿入口１１からセンサ２１までの長さは、カード１０の搬送方向の長さ（約８６ｍｍ）の略１／３（３０ｍｍ程度）である。また、センサ１２から磁気ヘッド１８までの長さは、カード１０の搬送方向の長さよりも少し長い（９０ｍｍ程度）。
【００４４】
なお、ここではカード１０は表面に形成された磁気ストライプにカードデータ（磁気データ）を記録した磁気カードを例にしているが、この磁気ストライプに加えてカードデータを記録したＩＣチップを設けた複合カードであってもよい。この場合、貯留部に搬送したカード１０のＩＣチップに電気的に接続でき、ＩＣチップに記録されているカードデータを読み取るための接点をカード処理装置１本体に設ければよい。
【００４５】
不正カード読取機は、図３に示すように、挿入口１１の前面に取り付けられる。不正カード読取機が取り付けられている場合、カードは不正カード読取機を通過して、挿入口１１から本体に取り込まれる。この不正カード読取機には、磁気ヘッドおよびメモリが設けられている。
【００４６】
以下、この実施形態のカード処理装置の動作について説明する。まず、挿入口１１において挿入されたカードを本体に取り込むときの動作（取り込み動作）について説明する。図４は、この取り込み動作を示すフローチャートである。
【００４７】
カード処理装置１は、センサ１２により本体にカード１０が挿入されたことを検出すると（ｓ１）（図５（ａ）参照）、搬送ローラ１４〜１７の正方向（カード１０を本体内部に取り込む方向）への回転を開始する（ｓ２）。ｓ２では、カード搬送制御部４がモータ（不図示）の回転を制御して、搬送ローラ１４〜１７を正方向に回転させる。
【００４８】
なお、カード処理装置１は、ｓ１でカードの挿入を検出するまで、搬送ローラ１４〜１７を停止している。また、シャッタ１３は挿入口１１を閉じておらず、利用者によるカード１０の挿入を妨げない。
【００４９】
利用者により、図５（ａ）に示す状態から、カード１０が本体にさらに押し込まれると、このカード１０の先端が一対の搬送ローラ１４（挿入口１１に最も近い搬送ローラ）の間に入り込む。このとき、搬送ローラ１４は正方向に回転しているので、本体へのカード１０の挿入がスムーズに行え、利用者に違和感を与えることがない。カード１０の先端が搬送ローラ１４に挟持され、カード１０の先端が搬送ローラ１４の隣（挿入口１１と反対側）に配置されたセンサ２１により検出されると（ｓ３）（図５（ｂ）参照）、カード１０の間欠搬送を開始する（ｓ４）。
【００５０】
このように、間欠搬送を開始するタイミングを、センサ２１がカード１０の先端部を検出したタイミングとしているので、カード１０が挿入口１１から２／３程度外部に露出しているタイミングで間欠搬送が開始される。
【００５１】
ここで、ｓ４で開始される間欠搬送について説明する。ここで言う、間欠搬送とは、搬送ローラ１４〜１７を第１の時間（例えば、２０ｍｓ）正方向に回転させ、その後第２の時間（例えば、４０ｍｓ）停止する動作を繰り返して、カード１０を搬送する（本体に取り込む）動作である。カード１０は、搬送、停止を繰り返しながら本体に取り込まれる。また、第１の時間におけるカードの搬送速度は、例えば１００ｍｍ／ｓである。
【００５２】
周知のように、磁気ストライプに記録されている磁気データを読み取るには、磁気ストライプに対して連続的に磁気ヘッドを移動させる必要があり、磁気データの読取途中において、磁気ヘッドが磁気ストライプに対して停止すると、磁気データを読み取ることができない。したがって、挿入口１１の前面に不正カード読取機が取り付けられていても、この不正カード読取機においてカード１０の磁気ストライプに記録されている磁気データが半分程度読み取られたときに、上記間欠搬送が開始されるので、カード１０の磁気ストライプの後半部分に記録されている磁気データが不正カード読取機に読み取られることがない。
【００５３】
なお、一般的な磁気データの記録においては、磁気ストライプの前半部分、または後半部分の一方に暗号化したデータを記録し、他方に復号するためのカギを記録しているので、磁気ストライプの前半部分に記録されている磁気データのみ読み取っても、この磁気データを不正に利用することはできない。
【００５４】
カード処理装置１は、センサ１２によりカード１０が検出されなくなるまで、ｓ４で開始した間欠搬送を継続する（ｓ５）（図５（ｃ）参照）。カード１０の後端部がセンサ１２よりも本体内部に位置したときに、センサ１２においてカード１０が検出されなくなる。カード処理装置１は、センサ１２によりカード１０が検出されなくなると（カード１０がカード処理装置１本体内部に完全に取り込まれると）、ｓ４で開始した間欠搬送を停止し（ｓ６）、カード１０を定速で搬送する定速搬送を開始する（ｓ７）。ｓ７で定速搬送が開始されるときカード１０の先端部は、磁気ヘッド１８に達していない。この定速搬送では、カード１０を例えば３００ｍｍ／ｓ程度の搬送速度で搬送する。
【００５５】
カード処理装置１は、ｓ７で定速搬送を開始すると、シャッタ１３を閉して（ｓ８）、新たなカード１０が挿入口１１から挿入されないようにする。カード処理装置１は、定速搬送後に、カード１０の磁気ストライプが磁気ヘッド１８に当接する。カード処理装置１は、定速搬送されているカード１０の磁気ストライプに記録されている磁気データを磁気ヘッド１８で読み取る。
【００５６】
カード処理装置１は、カード１０が貯留部に達したことを検出すると（ｓ９）（図５（ｄ）参照）、カード１０の搬送を停止し（搬送ローラを停止）（ｓ１０）、カード１０の取り込み動作を終了する（図５（ｄ）参照）。カード処理装置１は、センサ２４によりカード１０の先端部が検出されたとき、カード１０が貯留部に達したと判断する。
【００５７】
なお、カード１０が貯留部に達したとき、図５（ｄ）に示すように、カード１０の後端部は磁気ヘッド１８を通過しており、カード処理装置１はこのカード１０に記録されている磁気データを読み取ることができる。
【００５８】
カード処理装置１は、本体に取り込んだカード１０から読み取った磁気データを出力部７から出力する。この磁気データは、カード処理装置１が適用されている装置で使用される。例えば、ＡＴＭやＣＤでの取引処理に使用される。
【００５９】
次に、貯留部に搬送したカード１０を利用者に返却する、カード１０の排出動作について説明する。図６は、排出動作を示すフローチャートである。カード処理装置１は、貯留部に位置しているカード１０を排出方向に定速、例えば３００ｍｍ／ｓ、で搬送する（定速排出を開始する）（ｓ１１）（図７（ａ）参照）。このとき、搬送ローラ１４〜１７はカード搬送制御部４によりカード１０を排出する方向（逆方向）に回転される。カード処理装置１は、センサ２１によりカード１０が検出されると（ｓ１２）、シャッタ１３を開する（ｓ１３）（図７（ｂ）参照）。この時点では、排出方向へのカード１０の定速搬送は継続されている。カード処理装置１は、センサ１２がカード１０を検出すると（カード１０の端部がセンサ１２に達すると）（ｓ１４）（図７（ｃ）参照）、間欠排出を開始する（ｓ１５）。
【００６０】
ｓ１５にかかる間欠排出とは、搬送ローラ１４〜１７を第３の時間（例えば、２０ｍｓ）逆方向に回転させ、その後第４の時間（例えば、４０ｍｓ）停止する動作を繰り返して、カード１０を排出する動作である。カード１０は、搬送、停止を繰り返しながら本体から排出される。また、第３の時間におけるカードの搬送速度は、例えば１００ｍｍ／ｓである。間欠排出が開始されるとき、カード１０全体が本体内部に位置している（外部に露出している部分がない。）。
【００６１】
カード処理装置１は、ｓ１５で間欠排出を開始すると、センサ２１によりカードが検出されなくなるまで（ｓ１６）、この間欠排出を継続する。センサ２１によりカードが検出されなくなると（カード１０がセンサ２１より挿入口１１側に位置すると）（図７（ｄ）参照）、カード１０は挿入口１１から２／３程度排出されている。したがって、挿入口１１の前面に不正カード読取機が取り付けられていても、間欠排出動作で本体から排出されたカード１０の磁気ストライプに記録されている磁気データを不正カード読取機に読み取られることがない。また、この部分に記録されている磁気データは、上記取り込み動作においても不正カード読取機に読み取られなかった磁気データである。
【００６２】
カード処理装置１は、センサ２１によりカード１０が検出されなくなると、搬送ローラ１４を逆方向に定速で一定時間回転させ、その後搬送ローラを停止して、本処理を終了する（ｓ１７〜ｓ１９）。これにより、利用者が挿入口１１から一部が排出されたカード１０を掴んで、本体から引き抜くときに、搬送ローラ１４が逆方向に回転しているので、違和感を与えることなく利用者にカード１０を本体から取り出させることができる。
【００６３】
以上のように、この実施形態のカード処理装置１においては、本体へのカード１０の挿入時、および本体からのカードの排出時に、挿入口１１の前面に取り付けられた不正カード読取機に磁気データが不正に読み取られることがない。また、利用者が挿入口１１から挿入しているカード１０を掴んでいるときには、搬送ローラ１４を正方向に回転しているので利用者に違和感を与えることがなく、さらに挿入口１１から排出されたカード１０を利用者が掴んで引き抜くとときには、搬送ローラ１４を逆方向に回転しているので利用者に違和感を与えることがない。したがって、カード１０に記録されている磁気データの不正な読み取りに対するセキュリティを確保し、且つ利用者における操作性の改善が図れる。
【００６４】
また、上記実施形態では、挿入口１１から挿入されたカード１０の取り込み動作では、２つのセンサ１２、２１がカード１０を検出している間、カード１０の搬送、停止を繰り返す間欠搬送により、カード１０を本体に取り込むとしたが（ｓ４に係る処理）、カード１０を本体に取り込む方向に搬送、停止、排出する方向に搬送、停止、を繰り返しながら、本体にカードを取り込むようにしてもよい。例えば、２０ｍｓカード１０を本体に取り込む方向に搬送、４０ｍｓ停止、５ｍｓカード１０を本体から排出する方向に搬送、４０ｍｓ停止、とする動作を繰り返して、カード１０を本体に取り込むようにしてもよい。このようにすることで、挿入口１１の前面に取り付けられた不正カード読取機に取り込み時にカード１０に記録されている磁気データが不正に読み取られるのを一層確実に防止できる。
【００６５】
同様に、カード１０の排出動作においても、２つのセンサ１２、２１がカード１０検出している間、カード１０を本体から排出する方向に搬送、停止、取り込む方向に搬送、停止、を繰り返しながら、本体からカード１０を排出するようにしてもよい。例えば、２０ｍｓカード１０を本体から排出する方向に搬送、４０ｍｓ停止、５ｍｓカード１０を本体に取り込む方向に搬送、４０ｍｓ停止、とする動作を繰り返して、カード１０を本体から排出するようにしてもよい。このようにすることで、挿入口１１の前面に取り付けられた不正カード読取機に排出時にカード１０に記録されている磁気データが不正に読み取られるのを一層確実に防止できる。
【００６６】
また、２つのセンサ１２、２１がカード１０を検出している間、カード１０の搬送を完全に停止させるのではなく、カード１０の搬送速度を変更しながら、カード１０を本体に取り込むようにしてもよい。磁気ヘッド１８でカードに記録されている磁気データを読み取る場合、カード１０の搬送速度を低くすると、磁気ヘッド１８において発生する起電力が小さくなるので、カード１０の搬送を完全に停止しなくても、カード１０の搬送速度をある程度低くすれば、カード１０に記録されている磁気データの読み取りができなくなる。したがって、挿入口１１の前面に取り付けられた不正カード読取機に取り込み時にカード１０に記録されている磁気データが不正に読み取られるのを防止できる。また、カード１０の搬送を完全に停止しないので、２つのセンサ１２、２１がカード１０を検出している時間を短縮することができ、結果的に処理時間を短縮することができる。
【００６７】
【発明の効果】
以上のように、この発明によれば、挿入口の前面に取り付けられた不正カード読取機に、カードに記録されているカードデータが不正に読み取られるのを防止でき、またカードの挿入時や、排出時に利用者に違和感を与えることがなく、操作性を改善できる。
【図面の簡単な説明】
【図１】この発明の実施形態であるカード処理装置の構成を示すブロック図である。
【図２】この発明の実施形態であるカード処理装置の内部構成を示す概略図である。
【図３】この発明の実施形態であるカード処理装置に不正カード読取機を取り付けた状態を示す概略図である。
【図４】取り込み動作を示すフローチャートである。
【図５】取り込み時における状態の変化を示す図である。
【図６】排出動作を示すフローチャートである。
【図７】排出時における状態の変化を示す図である。
【符号の説明】
１−カード処理装置
２−制御部
３−カードデータ読取部
４−カード搬送制御部
５−カード検出部
６−シャッタ制御部
７−出力部
１０−カード
１１−挿入口
１２、２１〜２４−センサ
１４〜１７−搬送ローラ
１８−磁気ヘッド
【図１】
2004171205.tif 000003
【図２】
2004171205.tif 000004
【図３】
2004171205.tif 000005
【図４】
2004171205.tif 000006
【図５】
2004171205.tif 000007
【図６】
2004171205.tif 000008
【図７】
2004171205.tif 000009